(57)【要約】【課題】無駄なエネルギーを消費せずに効率の良い融雪運転を行うことができる高効率運転融雪装置を提供する。【解決手段】融雪装置本体部３と、積もった雪を検知するセンサー４と、該センサー４からの積雪信号に基づいて融雪装置本体部３に前記積もった雪を融かす運転を行わせる制御部７とが備えられている。【選択図】      図１
2006283389.tif 000002
【特許請求の範囲】
【請求項１】
融雪装置本体部と、積もった雪を検知するセンサーと、該センサーからの積雪信号に基づいて融雪装置本体部に前記積もった雪を融かす運転を行わせる制御手段とが備えられていることを特徴とする高効率運転融雪装置。
【請求項２】
融雪装置本体部が複数領域を個別に融雪することができるようになされたものからなると共に、センサーが複数、前記領域に対応するように設置され、制御手段が、各センサーからの積雪信号に基づいて、積もった雪を融かす運転を融雪装置本体部に行わせる領域を選択し、その選択に基づいて融雪装置本体部を運転させるようになされている請求項１に記載の高効率運転融雪装置。
【請求項３】
融雪装置本体部と、積もった雪の量を検知するセンサーと、該センサーからの信号に基づいて融雪装置本体部に前記積もっている雪の量に応じて融雪能力の異なる運転を行わせる制御手段とが備えられていることを特徴とする高効率運転融雪装置。
【発明の詳細な説明】
【技術分野】
【０００１】
本発明は、例えば屋根などの融雪に用いられる高効率運転融雪装置に関する。
【背景技術】
【０００２】
融雪装置として、従来より、商用エネルギーや蓄熱エネルギー等を利用し、電気ヒーターやポンプ、ファン、エネルギー発生装置等を駆動して、融雪運転を行うようになされたものが提供されている。
【発明の開示】
【発明が解決しようとする課題】
【０００３】
しかしながら、上記のような融雪装置では、常時運転では、積雪してないときに無駄なエネルギーを消費してしまうことになるし、手動運転では、外出期間が長期にわたるとその期間に積雪しても運転させることができないし、タイマー運転では、日照時間や天候によって積もり方が異なるため、積雪してないのに運転して無駄なエネルギーを消費してしまったり、積雪しているのに融雪運転を行わなかったりするという問題がある。
【０００４】
本発明は、上記のような問題点に鑑み、無駄なエネルギーを消費せずに効率の良い融雪運転を行うことができる融雪装置を提供することを課題とする。
【課題を解決するための手段】
【０００５】
上記の課題は、融雪装置本体部と、積もった雪を検知するセンサーと、該センサーからの積雪信号に基づいて融雪装置本体部に前記積もった雪を融かす運転を行わせる制御手段とが備えられていることを特徴とする高効率運転融雪装置によって解決される。
【０００６】
この装置では、雪が積もると、センサーからの積雪検知信号に基づいて、制御手段が、融雪装置本体部に対して、積もった雪を融かす運転を行わせるようになされているから、無駄なエネルギーを消費せずに効率の良い融雪運転を行うことができる。
【０００７】
上記の装置において、融雪装置本体部が複数領域を個別に融雪することができるようになされたものからなると共に、センサーが複数、前記領域に対応するように設置され、制御手段が、各センサーからの積雪信号に基づいて、積もった雪を融かす運転を融雪装置本体部に行わせる領域を選択し、その選択に基づいて融雪装置本体部を運転させるようになされているとよい。
【０００８】
この場合は、積雪している領域と、していない領域とを判別し、積雪している領域の融雪を融雪装置本体部に行わせるようになされているので、積雪していない領域に対して融雪運転が行われるのを防ぐことができ、無駄なエネルギーを消費せずに効率の良い融雪運転を行うことができる。
【０００９】
また、上記の課題は、融雪装置本体部と、積もった雪の量を検知するセンサーと、該センサーからの信号に基づいて融雪装置本体部に前記積もっている雪の量に応じて融雪能力の異なる運転を行わせる制御手段とが備えられていることを特徴とする高効率運転融雪装置によっても解決される。
【００１０】
この装置では、積もっている雪の量に応じて、融雪装置本体部が融雪能力の異なる運転を行うようになされている、即ち、積雪量が多い場合には高い能力で融雪運転を行い、積雪量が少ない場合には低い能力で融雪運転を行うから、無駄なエネルギーを消費せずに効率の良い融雪運転を行うことができる。
【発明の効果】
【００１１】
本発明は、以上のとおりのものであるから、無駄なエネルギーを消費せずに効率の良い融雪運転を行うことができる。
【発明を実施するための最良の形態】
【００１２】
次に、本発明の実施最良形態を図面に基づいて説明する。
【００１３】
図１に示す実施形態の高効率運転融雪装置１は、屋根２の融雪に用いられるもので、屋根２には、図１（イ）に示すように、融雪装置本体部３の３つの融雪熱源部３ａ…が、屋根２の傾斜方向に並べられて設置され、屋根２の傾斜方向の３つの領域を個別に融雪することができるようなされている。なお、各融雪熱源部３ａ…は例えば電気ヒーターからなり、３ｂ…はそれ用のオンオフ切換え器である。
【００１４】
そして、屋根２には、図１（ロ）に示すように、積雪検知センサー４が３つ、前記領域に対応するように設置されている。各センサー４は、上面５ａを雪受け部とする容器５と、該容器５内の圧力を検知する圧力センサー６とで構成され、容器５の雪受け部５ａに積もった雪の重量によって変化する容器５内の圧力を圧力センサー６が検知するようになされたもので、各積雪検知センサー４…は、制御手段としての制御部７に接続され、制御部７が、各積雪検知センサー４…からの信号に基づいて、積もった雪を融かす運転を融雪装置本体部３に行わせる領域を選択し、その選択に基づいて、融雪装置本体部３に融雪の運転を行わせる制御を行うようになされている。
【００１５】
その制御の具体例を示すと、図２（イ）に示すように、屋根２の傾斜方向の全体に雪８が積もっている場合は、制御部７が、融雪装置本体部３に対して、切換え器３ｂ…のすべてをオンにする指令信号を出力し、図２（ロ）に示すように、屋根２の傾斜方向の棟側を除く領域部分が積雪している場合は、制御部７は、融雪装置本体部３に対して、棟側の領域を除く残りの領域に設置されている融雪熱源部３ａの切換え器３ｂのみをオンにする指令信号を出力し、図２（ハ）に示すように、屋根２の傾斜方向の軒側の領域部分のみが積雪している場合は、制御部７は、融雪装置本体部３に対して、軒側の領域に設置されている融雪熱源部３ａの切換え器３ｂのみをオンにする指令信号を出力する。
【００１６】
このように、上記の融雪装置１によれば、雪が積もると、積雪検知センサー４…からの検知信号に基づいて、制御部７が、融雪装置本体部３に対して、積もった雪を融かす運転を行わせるようになされており、積もってなければ融雪運転は行われないから、無駄なエネルギーを消費せずに効率の良い融雪運転を行うことができる。
【００１７】
しかも、本実施形態では、領域別の融雪制御運転を行うことができるようになされているので、積雪していない領域に対して融雪運転が行われるのを防ぐことができ、無駄なエネルギーを消費せずに効率の良い融雪運転を行うことができる。
【００１８】
なお、積雪検知センサー４…の容器５…に積もった雪は、融雪装置本体部３の運転によって、屋根面の雪と同じ態様で融雪されるようになされていればよい。具体的には、融雪装置本体部３の融雪熱源部３ａが屋根面と同様に容器５にも備えられているというのでもよいし、屋根面が容器５で形成されていて、容器５の上に積もった雪を融雪装置本体部３の融雪熱源部３ａで融雪するといような形式であってもよい。
【００１９】
第２実施形態の高効率運転融雪装置は、上記の第１実施形態において、積雪検知センサー４…における圧力センサー６…が、積もった雪の量を検知できるようになされており、かつ、融雪装置本体部３における切換え器３ｂ…が給電量調整器からなっているもので、制御部７は、積雪検知センサー４…からの信号に基づいて、給電量調整器３ｂ…を調整し、融雪装置本体部３に対して、積もっている雪の量に応じて、融雪能力、具体的には融雪温度の異なる運転を行わせる指令信号を出力するようになされている。
【００２０】
この装置では、積もっている雪の量に応じて、融雪装置本体部３が融雪能力の異なる運転を行うようになされているので、積雪量が多い場合には高い能力で融雪運転を行い、積雪量が少ない場合には低い能力で融雪運転を行い、それによって、無駄なエネルギーを消費せずに効率の良い融雪運転を行うことができる。
【００２１】
以上に、本発明の実施形態を示したが、本発明はこれに限られるものではなく、発明思想を逸脱しない範囲で各種の変更が可能である。例えば、上記の実施形態では、融雪装置本体部３が、複数の領域を個別に融雪する運転を行えるものからなっている場合を示したが、領域を区別することなく全体を融雪する運転を行うものからなっていてもよい。また、積もっている雪の量に応じて、融雪装置本体部が融雪能力の異なる運転を行う制御構成を採用する場合についても、融雪装置本体部は、領域を区別することなく全体を融雪する運転を行うものからなっていてもよい。
【００２２】
また、上記の実施形態では、積雪検知センサーとして、容器５と圧力センサーからなる場合を示したが、光等を利用して積雪の存在や量を検知する各種雪センサーが用いられてもよい。
【００２３】
また、融雪装置本体部の融雪熱源部は、電気ヒーターに限らず、温水ヒーターであってもよいし、暖められたあるいは加熱された空気が通されて発熱するヒーターであってもよいし、使用するエネルギーについても商用エネルギーや蓄熱エネルギーであってよい。
【００２４】
更に、本発明の高効率運転融雪装置は、屋根に限らず、様々なところで用いることができるものであることはいうまでもない。
【図面の簡単な説明】
【００２５】
【図１】実施形態の高効率運転融雪装置を示すもので、図（イ）は全体構成図、図（ロ）は屋根における積雪検知センサーの設置の態様を示す正面図である。
【図２】図（イ）〜図（ハ）はそれぞれ、種々の積雪状況を示す正面図である。
【符号の説明】
【００２６】
１…高効率運転融雪装置
３…融雪装置本体部
４…積雪検知センサー
７…制御部（制御手段）
【図１】
2006283389.tif 000003
【図２】
2006283389.tif 000004